(57)【要約】【課題】移動が容易で、移設コストや導入コストを低減することができる入力端子付き携帯電話を利用した監視装置を提供する。【解決手段】監視センサ２が、異常を検出する検出部１１と、検出部１１が異常を検出したとき検出信号を出力する出力端子１３とを有している。携帯電話３が、あらかじめ通報先の電話番号および警報信号が記憶された記憶部１４と、出力端子１３が着脱可能に接続されて、検出信号を入力可能な入力端子１５とを有している。携帯電話３は、入力端子１５から検出信号が入力されたとき、記憶部１４に記憶された通報先の電話番号に電話をかけ、記憶部１４に記憶された警報信号を送信可能になっている。【選択図】図１
0003124115.tif 000002
【実用新案登録請求の範囲】
【請求項１】
監視センサと携帯電話とを有し、
前記監視センサは異常を検出する検出部と、前記検出部が異常を検出したとき検出信号を出力する出力端子とを有し、
前記携帯電話はあらかじめ通報先の電話番号および警報信号が記憶された記憶部と、前記出力端子が着脱可能に接続されて前記検出信号を入力可能な入力端子とを有し、前記入力端子から前記検出信号が入力されたとき、前記記憶部に記憶された前記通報先の電話番号に電話をかけ、前記記憶部に記憶された前記警報信号を前記電話番号に送信可能であることを、
特徴とする入力端子付き携帯電話を利用した監視装置。
【考案の詳細な説明】
【技術分野】
【０００１】
本考案は、入力端子付き携帯電話を利用した監視装置に関する。
【背景技術】
【０００２】
従来の監視装置は、盗難や火災等の異常を検出して異常検出信号を無線送信するセンサ端末と、無線による制御信号を受信して遠隔制御される制御端末装置と、センサ端末からの異常検出信号を受信して警報処理すると共に制御端末装置に制御信号を送信して遠隔制御する監視装置と、センサ端末及び制御端末装置と監視装置との間の伝送信号を中継する１又は複数の中継器とを備えている（例えば、特許文献１参照）。
【０００３】
【特許文献１】特開２００６−１０６９９６号公報
【考案の開示】
【考案が解決しようとする課題】
【０００４】
しかしながら、特許文献１記載の監視装置は、センサ端末を監視する場所に固定するため、監視場所を変えたい場合や、監視が不要なときでもセンサ端末を移動することができないという課題があった。このため、センサ端末の移設コストや購入コストが嵩むという課題もあった。また、監視する場所が少なくても、システム全体を導入する必要があり、導入コストが嵩むという課題もあった。
【０００５】
本考案は、このような課題に着目してなされたもので、移動が容易で、移設コストや導入コストを低減することができる入力端子付き携帯電話を利用した監視装置を提供することを目的とする。
【課題を解決するための手段】
【０００６】
上記目的を達成するために、本考案に係る入力端子付き携帯電話を利用した監視装置は、監視センサと携帯電話とを有し、前記監視センサは異常を検出する検出部と、前記検出部が異常を検出したとき検出信号を出力する出力端子とを有し、前記携帯電話はあらかじめ通報先の電話番号および警報信号が記憶された記憶部と、前記出力端子が着脱可能に接続されて前記検出信号を入力可能な入力端子とを有し、前記入力端子から前記検出信号が入力されたとき、前記記憶部に記憶された前記通報先の電話番号に電話をかけ、前記記憶部に記憶された前記警報信号を前記電話番号に送信可能であることを、特徴とする。
【０００７】
本考案に係る入力端子付き携帯電話を利用した監視装置は、好適には、窃盗、自動車の車上荒らし、船舶の係留中のキャビン荒らしなどを防ぐため、室内や自動車、船舶などに取り付けて使用される。監視センサの出力端子を携帯電話の入力端子に接続し、監視センサの検出部を監視する場所に設置する。検出部が異常を検出すると、出力端子が検出信号を出力して携帯電話の入力端子に入力し、携帯電話が通報先の電話番号に電話をかけ、その電話番号に警報信号を送信する。こうして、検出部を設置した監視場所を監視することができる。
【０００８】
携帯電話と、携帯電話に接続された監視センサとから成るため、持ち運びが自由で、移動が容易である。このため、監視が不要なときには別の場所に移動させるなど、監視場所を容易に変えることができ、移設コストや購入コストを低減することができる。装置全体の価格が安く、導入時に、必要な数だけ購入すればよいため、導入コストを低減することができる。
【０００９】
携帯電話は、警報信号が入力されたとき、自動的に電源が入るようになっていてもよい。この場合、消費電力を節約することができる。監視センサは、温度センサや感温センサ、赤外線センサなど、異常を検出可能なものであれば、いかなるものから成っていてもよく、医療器具やその他の機械器具から成っていてもよい。監視センサは、駆動源として小型の電池が内蔵されていてもよく、携帯電話の電源から電力が供給されてもよい。警報信号は、サイレンなどの警報や録音されたメッセージ、文字によるメッセージなど、異常の検出を知らせることができるものであれば、いかなるものであってもよい。通報先の電話番号は、１つであっても複数であってもよく、監視する自動車や船の所有者の電話番号であっても、警察や警備会社などの電話番号であってもよい。警察や警備会社などの電話番号である場合、警報信号で監視場所を伝達可能であることが好ましい。
【考案の効果】
【００１０】
本考案によれば、移動が容易で、移設コストや導入コストを低減することができる、入力端子付き携帯電話を利用した監視装置を提供することができる。
【考案を実施するための最良の形態】
【００１１】
以下、図面に基づき本考案の実施の形態について説明する。
図１は、本考案の実施の形態の入力端子付き携帯電話を利用した監視装置を示している。
図１に示すように、監視装置１は、監視センサ２と携帯電話３とから成っている。
【００１２】
監視センサ２は、検出部１１と接続ケーブル１２と出力端子１３とを有している。検出部１１は、感温センサから成り、人の接近を検出可能になっている。出力端子１３は、接続ケーブル１２を介して検出部１１に接続されている。出力端子１３は、検出部１１が人の接近を検出したとき、検出信号を出力するようになっている。
【００１３】
携帯電話３は、市販のカメラ付き携帯電話を改造して形成されている。携帯電話３は、記憶部１４と入力端子１５と制御部１６とを有している。記憶部１４は、携帯電話３に内蔵され、あらかじめ通報先の電話番号および警報信号が記憶されている。警報信号は、侵入者を検出した旨を伝える、録音されたメッセージから成る。通報先の電話番号は、監視場所の所有者の電話番号および警備会社の電話番号から成る。
【００１４】
入力端子１５は、携帯電話３の側面に設けられ、出力端子１３を着脱可能になっている。入力端子１５は、出力端子１３が接続されたとき、出力端子１３から検出信号を入力可能になっている。制御部１６は、携帯電話３に内蔵され、記憶部１４および入力端子１５に接続されている。制御部１６は、入力端子１５から検出信号が入力されたとき、記憶部１４に記憶された通報先の電話番号に電話をかけ、記憶部１４に記憶された警報信号をその電話番号に送信可能になっている。
【００１５】
次に、作用について説明する。
監視装置１は、窃盗、自動車の車上荒らし、船舶の係留中のキャビン荒らしなどを防ぐため、室内や自動車の車内、船舶のキャビン内などに取り付けて使用される。監視センサ２の出力端子１３を携帯電話３の入力端子１５に接続し、監視センサ２の検出部１１を監視する場所に設置する。検出部１１が人の接近を検出すると、出力端子１３が検出信号を出力して携帯電話３の入力端子１５に入力する。入力端子１５から検出信号が入力されると、制御部１６が、通報先の電話番号に電話をかけ、侵入者を検出した旨のメッセージを送信する。こうして、検出部１１を設置した監視場所を監視することができる。
【００１６】
監視装置１は、携帯電話３と、携帯電話３に接続された監視センサ２とから成るため、持ち運びが自由で、移動が容易である。このため、監視が不要なときには別の場所に移動させるなど、監視場所を容易に変えることができ、移設コストや購入コストを低減することができる。従来の監視システムに比べて、装置全体の価格が安く、導入時に、必要な数だけ購入すればよいため、導入コストを低減することができる。
なお、入力端子１５には種々の装置の出力端子１３を接続することができ、監視センサ２は温度センサ、赤外線センサ、光センサのほか、心電図計などの医療器具から成ってもよい。
【図面の簡単な説明】
【００１７】
【図１】本考案の実施の形態の入力端子付き携帯電話を利用した監視装置を示す正面図である。
【符号の説明】
【００１８】
１    監視装置
２    監視センサ
３    携帯電話
１１  検出部
１２  接続ケーブル
１３  出力端子
１４  記憶部
１５  入力端子
１６  制御部
【図１】
0003124115.tif 000003